(57)【要約】【課題】個別の特性に合わせて報知内容を設定することができる地震報知装置を提供する。【解決手段】地震の到来を報知する緊急地震速報システム１からの信号を受信する受信部４１と、その信号に基づいて複数のスピーカ６Ａ−６Ｄを作動させる制御部４２と、その制御部４２から発信された信号によって報知をおこなうスピーカ６Ａ−６Ｄとを備えた地震報知装置３である。  そして、スピーカ６Ａ−６Ｄは住宅７の複数の部屋７１Ａ−７１Ｄに設置されるとともに、各部屋の特性に合わせて各スピーカ６Ａ−６Ｄの報知内容の設定をおこなう設定部５１と、それらの報知内容を記憶させる記憶部４３とを備えている。【選択図】図１
2008298499.tif 000002
【特許請求の範囲】
【請求項１】
地震の到来を報知する緊急地震速報システムからの信号を受信する受信部と、その信号に基づいて複数の報知部を作動させる制御部と、その制御部から発信された信号によって報知をおこなう報知部とを備えた地震報知装置であって、
前記報知部は建物の複数の部屋に設置されるとともに、各部屋の特性に合わせて各報知部の報知内容の設定をおこなう設定部と、それらの報知内容を記憶させる記憶部とを備えていることを特徴とする地震報知装置。
【請求項２】
前記報知部はスピーカであって、前記制御部では、前記設定部の設定に基づいて各部屋に合わせて報知する音声信号を前記記憶部から取り出して各スピーカに送信することを特徴とする請求項１に記載の地震報知装置。
【請求項３】
前記報知内容を音声データとして前記記憶部に記憶させるための録音部を備えていることを特徴とする請求項２に記載の地震報知装置。
【請求項４】
前記制御部では、時間情報を取り込み、時間情報に対応させた報知内容を前記記憶部から取り出すことを特徴とする請求項１乃至３のいずれか一項に記載の地震報知装置。
【請求項５】
前記報知部は、人間感知センサと報知方向を変動させる変動手段とを備えており、前記制御部からの信号を前記報知部が受けると、前記人間感知センサの出力に基づいて前記変動手段で報知方向を変動させて報知をおこなうことを特徴とする請求項１乃至４のいずれか一項に記載の地震報知装置。
【発明の詳細な説明】
【技術分野】
【０００１】
本発明は、地震の到来を知らせる緊急地震速報システムを利用した地震報知装置に関するものである。
【背景技術】
【０００２】
現在、気象庁、防災科学技術研究所では、地震の発生直後に、震源に近い地震計でとらえた観測データを解析して震源や地震の規模（マグニチュード）を直ちに推定し、これに基づいて各地での揺れの到達時間や震度を推定し、その推定した地域の事業者や個人に対して、可能な限り素早くその地震情報を知らせる緊急地震速報システムの運用がおこなわれている（特許文献１など参照）。
【０００３】
すなわち、地震の揺れが始まる数秒〜数十秒前であっても、今から大きな揺れがくることがわかれば、その僅かな時間内に避難したり、火を止めたりと、安全を確保することができる。
【特許文献１】特開２００６−１１２９２２号公報
【発明の開示】
【発明が解決しようとする課題】
【０００４】
しかしながら、前記した緊急地震速報システムから送信される地震情報は、揺れの到達時間と震度の大きさであり、例えば「１０秒後に震度６強の揺れがきます」と報知されたとしても、具体的に残りの１０秒間でどのような行動をとればよいかが判断できない。特に、子供だけで部屋に居る場合に、数値で示される報知内容と身の安全を確保するための行動とを結びつけることができるかどうかという問題がある。
【０００５】
そこで、本発明は、個別の特性に合わせて報知内容を設定することができる地震報知装置を提供することを目的としている。
【課題を解決するための手段】
【０００６】
前記目的を達成するために、本発明の地震報知装置は、地震の到来を報知する緊急地震速報システムからの信号を受信する受信部と、その信号に基づいて複数の報知部を作動させる制御部と、その制御部から発信された信号によって報知をおこなう報知部とを備えた地震報知装置であって、前記報知部は建物の複数の部屋に設置されるとともに、各部屋の特性に合わせて各報知部の報知内容の設定をおこなう設定部と、それらの報知内容を記憶させる記憶部とを備えていることを特徴とする。
【０００７】
ここで、前記報知部はスピーカであって、前記制御部では、前記設定部の設定に基づいて各部屋に合わせて報知する音声信号を前記記憶部から取り出して各スピーカに送信するように構成することができる。また、前記報知内容を音声データとして前記記憶部に記憶させるための録音部を備えているのが好ましい。
【０００８】
さらに、前記制御部では、時間情報を取り込み、時間情報に対応させた報知内容を前記記憶部から取り出すようにしてもよい。
【０００９】
また、前記報知部は、人間感知センサと報知方向を変動させる変動手段とを備えており、前記制御部からの信号を前記報知部が受けると、前記人間感知センサの出力に基づいて前記変動手段で報知方向を変動させて報知をおこなう構成であってもよい。
【発明の効果】
【００１０】
このように構成された本発明の地震報知装置は、複数の部屋に設置される報知部の報知内容を設定する設定部を備えており、その部屋の特性に合わせて報知内容を変えることができる。
【００１１】
このため、子供部屋や寝室といった部屋の使用目的、主に誰が使用するかという利用者形態、配置されている家具の種類や位置などの各部屋の特性に合わせてその部屋に適した報知をおこなうことができるので、地震発生時にその部屋を利用している人は、その報知によって短時間で適切な行動をとることが可能になる。
【００１２】
また、報知部がスピーカであって、そこから発声される報知内容がその部屋の特性に合っていれば、その部屋を利用している人は何をしていてもその音声を聞いて、的確な行動をとることができる。
【００１３】
さらに、報知内容を記憶部に録音させるための録音部を設けることで、身近な人の声で報知したり、その部屋のレイアウトなどを考慮した適切なアナウンスを報知したりすることができる。また、時間情報を取り込むことで、時間帯によって報知内容を変更することができる。
【００１４】
また、報知部に人間感知センサと変動手段とを設けて、人の居る方向に向けて報知するようにすれば、報知内容を確実にその部屋を利用している人に知らせることができる。
【発明を実施するための最良の形態】
【００１５】
以下、本発明の最良の実施の形態について図面を参照して説明する。
【００１６】
図１は、緊急地震速報システム１と本実施の形態の地震報知装置３の構成を示したブロック図、図２は、建物としての住宅７における地震報知装置３の構成を説明する説明図である。
【００１７】
この緊急地震速報システム１は、地震の発生直後に、震源に近い地震計で計測された観測データを解析して震源や地震の規模（マグニチュード）を推定し、これに基づいて地震報知装置３のある各地域での揺れの到達時間や震度を推定し、これらを地震情報として発信するシステムである。現時点では、気象庁がこの地震情報の発信をおこなっているが、別の緊急地震速報システムからの地震情報であっても、本実施の形態の地震報知装置３を利用することができる。すなわち、緊急地震速報システムは、地震による揺れの到来を地震情報として事前に提供するシステムであればよい。
【００１８】
また、この緊急地震速報システム１から発信される地震情報は、インターネット２や専用回線などの通信回線によって配信される。
【００１９】
そして、この緊急地震速報システム１からの地震情報を受信する本実施の形態の地震報知装置３は、図１に示すように、地震情報の信号を受信する受信部４１と、その信号に基づいて複数の報知部としてのスピーカ６Ａ−６Ｄを作動させる制御部４２と、その制御部４２から発信された信号によって報知をおこなうために各部屋に配置されるスピーカ６Ａ−６Ｄと、各部屋の特性に合わせて報知内容の設定をおこなう設定部５１と、録音部としてのマイク５２と、録音された音声データや各種設定を記憶させる記憶部４３とから主に構成されている。
【００２０】
この受信部４１と制御部４２と記憶部４３は、例えば図２に示すような情報分電盤４に収容されている。すなわち、この受信部４１は、光ケーブル２１などを通って送信されてくる信号を取り込むために情報分電盤４に設けられるインターフェースである。また、制御部４２は演算処理部、記憶部４３は、ハードディスク、フラッシュメモリ、ＲＯＭ、ＲＡＭなどの記憶媒体から必要なものが選択されて構成されるものである。この記憶部４３には、制御部４２で実行させるプログラムや、報知内容を設定するための各種データが記憶される。
【００２１】
また、図２に示すように、この情報分電盤４には、制御線３１を介してコントローラ５が接続されており、このコントローラ５には設定部５１とマイク５２とが設けられている。
【００２２】
この設定部５１では、報知部６Ａ−６Ｄを作動させる揺れの大きさや報知内容などを設定する。すなわち、コントローラ５は、人が操作しやすい位置に取り付けられて、液晶表示画面などの表示手段に設定項目などを表示させ、タッチパネルやボタンなどによって操作がおこなえるようになっている。
【００２３】
また、このコントローラ５には、マイク５２が装着されており、所定のタイミングでそのマイク５２に向かって発声することで、任意の報知内容を音声データとして記憶部４３に記憶させることができる。
【００２４】
一方、情報分電盤４には、ＬＡＮ（Local Area Network）ケーブル３２Ａ−３２Ｄを介して複数のスピーカ６Ａ−６Ｄが接続されている。すなわち、図２に示した建物としての住宅７には、寝室７１Ａ、リビング７１Ｂ、台所７１Ｃ、子供部屋７１Ｄと、複数の部屋が示されている。そして、これらの部屋（７１Ａ−７１Ｄ）のそれぞれに、スピーカ６Ａ−６Ｄを設置する。
【００２５】
次に、本実施の形態の地震報知装置３の報知内容の設定方法について、図３のフローチャートを参照しながら説明する。
【００２６】
まず、コントローラ５の設定開示ボタンを押して設定を開始する（ステップＳ１）。
【００２７】
続いて、報知をおこなう揺れの大きさを設定するために、震度の設定をおこなう（ステップＳ２）。すなわち、地震情報としては、緊急地震速報システム１で推定された様々な大きさの震度の情報（例えば震度３、震度６強など）が送信されてくるが、この推定震度には１段階程度の誤差があり、人や家庭によって、「小さな揺れでも事前に知りたい。」、「本当に避難が必要となる大きな揺れのときだけ教えてくれればよい。」というように要望は様々である。
【００２８】
このため、このステップＳ２において、報知をおこなう揺れの大きさ（報知レベル）の設定をおこなう。なお、ここでは、すべての部屋（７１Ａ−７１Ｄ）の報知レベルを同じにしたが、部屋ごとに個別に報知レベルを設定できるような構成にしてもよい。
【００２９】
そして、報知内容を設定する部屋を、コントローラ５のタッチパネルなどを押して選択する（ステップＳ３）。
【００３０】
部屋を選択した後には、その部屋で報知させる内容をマイク５２に向かって発声し、その音声データを記憶部４３に記憶させる（ステップＳ４）。例えば、寝室７１Ａであればベッド７２が配置されているので、地震が起こった際に迅速にベッド７２の下に避難できるように、「ベッドの下にもぐりなさい」という音声を録音する。
【００３１】
さらに、別の部屋の報知内容を設定する場合は、この設定作業を繰り返す（ステップＳ５）。例えば、リビング７１Ｂに大きな本棚７３がある場合は、地震の揺れによって本棚７３が倒れてくると危険なので、「本棚から離れなさい」という音声を報知内容として録音する。また、システムキッチン７４などが備えられた台所７１Ｃを部屋として選択した場合は、「台所から離れなさい」という音声を報知内容として録音する。
【００３２】
さらに、子供部屋７１Ｄを部屋として選択した場合は、「机の下に入りなさい」という音声を母親の声で録音しておけば、子供が一人で部屋にいるときに地震が起こっても、すぐに机の下に避難することができるうえに、母親の声が聞こえて安心できる。
【００３３】
このように部屋（７１Ａ−７１Ｄ）によって、置いてある家具や利用する人が異なるため、その住宅７に実際に住んでいる人が、それぞれの部屋（７１Ａ−７１Ｄ）の特性やよく利用する人を想定しながら、地震が起きた際に真っ先にしなければならない具体的な行動を報知内容として記憶させる。
【００３４】
次に、地震が発生したときの本実施の形態の地震報知装置３の処理の流れについて、図４のフローチャートを参照しながら説明する。
【００３５】
地震が発生すると（ステップＳ１１）、各地に設置された地震計で計測された観測データが緊急地震速報システム１に送られ、震源や地震のマグニチュードが瞬時に推定される（ステップＳ１２）。
【００３６】
そして、推定された震源やマグニチュードのデータを基に、地震報知装置３が設置されている各場所に揺れが到達する時間と震度という地震情報が生成され、各地震報知装置３に向けてインターネット２を通じて配信される（ステップＳ１３）。
【００３７】
一方、地震報知装置３の受信部４１で地震情報の信号を受信すると（ステップＳ１４）、地震情報の震度が報知をおこなう報知レベル以上か否かが制御部４２において判定される（ステップＳ１５）。ここで、震度が報知レベル以下であれば処理を終了する。
【００３８】
他方、震度が報知レベル以上のときには、制御部４２が各部屋（７１Ａ−７１Ｄ）の報知内容である音声データを記憶部４３から取り込み、ＬＡＮケーブル３２Ａ−３２Ｄを通じてスピーカ６Ａ−６Ｄに、その部屋に合った報知内容の音声信号を送信する。
【００３９】
そして、各部屋（７１Ａ−７１Ｄ）では、一斉にスピーカ６Ａ−６Ｄから、「ベッドの下にもぐりなさい」（寝室７１Ａ：ステップＳ１６Ａ）、「本棚から離れなさい」（リビング７１Ｂ：ステップＳ１６Ｂ）、「台所から離れなさい」（台所７１Ｃ：ステップＳ１６Ｃ）、「机の下に入りなさい」（子供部屋７１Ｄ：ステップＳ１６Ｄ）という音声が発声される。
【００４０】
次に、本実施の形態の地震報知装置３の作用について説明する。
【００４１】
このように構成された本実施の形態の地震報知装置３は、複数の部屋（７１Ａ−７１Ｄ）に設置されるスピーカ６Ａ−６Ｄの報知内容を設定する設定部５１を備えており、その部屋（７１Ａ−７１Ｄ）の特性に合わせて報知内容を変えることができる。
【００４２】
このため、子供部屋７１Ｄや寝室７１Ａといった部屋の使用目的、主にその部屋を使用する人は子供か大人かなどの利用者形態、配置されている家具の種類や位置などの各部屋（７１Ａ−７１Ｄ）の特性に合わせて、その部屋（７１Ａ−７１Ｄ）に適した報知がおこなわれ、その部屋を利用している人はその報知によって短時間で適切な行動をとることができる。
【００４３】
すなわち、報知内容が具体的であれば、考えることなくその指示に従って迅速に行動することができる。また、その報知内容が、その部屋のレイアウトを考慮したものであれば、近づいてはいけない場所、避難する場所が的確に指示されることになる。
【００４４】
また、報知がスピーカ６Ａ−６Ｄによる音声でおこなわれれば、その部屋（７１Ａ−７１Ｄ）を利用している人は何をしていても、その音声を聞いて、迅速かつ的確な行動をとることができる。
【００４５】
さらに、マイク５２によって報知内容を録音できるようにすれば、聞きなれた家族の声によって指示を出すことができる。また、外国人にとっては、母国語で報知内容を録音できれば、理解し易い母国語による指示によって、咄嗟の場合の行動を的確におこなうことができる。
【実施例１】
【００４６】
次に、前記実施の形態とは別の形態の報知部６について、図５を参照しながら説明する。なお、前記実施の形態で説明した内容と同一乃至均等な部分の説明については同一符号を付して説明する。
【００４７】
この実施例１の報知部としてのスピーカ６は、音声を発声させる発声部６３と、その発声部６３を回動自在に支持させる変動手段としてのターンテーブル６２と、人が居る場所を温度などで感知する人間感知センサ６１とから主に構成されている。
【００４８】
すなわち、このスピーカ６は、人間感知センサ６１によって部屋のどこに人がいるかを感知し、その検出値に基づいてターンテーブル６２を所定の角度だけ回転させて、発声部６３を人がいる方向に向けることができる。
【００４９】
この人間感知センサ６１による感知と、その検出値に基づいたターンテーブル６２の作動は、制御部４２からスピーカ６に信号が送信されたときにだけおこなわれるようにすればよい。
【００５０】
このようにスピーカ６に人間感知センサ６1とターンテーブル６２とを設けて、人の居る方向に向けて報知するようにすれば、報知内容の聞き漏らしをなくして確実に知らせることができる。
【００５１】
なお、この他の構成および作用効果については、前記実施の形態と略同様であるため説明を省略する。
【実施例２】
【００５２】
次に、前記実施の形態とは別の形態の地震報知装置について、図６を参照しながら説明する。なお、前記実施の形態又は実施例１で説明した内容と同一乃至均等な部分の説明については同一符号を付して説明する。
【００５３】
この実施例２の地震報知装置３は、部屋（７１Ａ−７１Ｄ）毎に報知内容を変更できることに加えて、時間帯によっても報知内容を変更できるように構成されている。
【００５４】
すなわち、一日の生活の中で、時間帯によって部屋（７１Ａ−７１Ｄ）を利用する人や行動は異なる場合が多く、そのときの状況にあった報知内容が、スピーカ６Ａ−６Ｄからアナウンスされるのが望ましい。
【００５５】
例えば、図６（ａ）に示すように、一日を６時間単位で「深夜」、「午前」、「午後」、「夜」に分け、その時間帯ごとに報知内容を変更する。ここでは、住人が就寝中であることが多い「深夜」には「地震だ、起きなさい」と報知し、活動中の「午前」と「午後」には、「○○から離れなさい」や「△△に隠れなさい」と報知し、火を使用する機会の多い「夜」には「火を消しなさい」と報知するように、各音声データを時間に対応させて記憶部４３に記憶させておく。
【００５６】
そして、地震が発生し、緊急地震速報システム１から地震情報が送信されると、その地震情報を受信した地震報知装置３は、その内部に備えられたタイマーから時間情報を読み取り、制御部４２において、報知レベルと時間情報と部屋（７１Ａ−７１Ｄ）との対応をさせた後に、各スピーカ６Ａ−６Ｄから部屋７１Ａ−７１Ｄ及び時間帯に合った報知をおこなう。
【００５７】
他方、図６（ｂ）に示すように、各世帯又は住人によって生活パターンは異なっているので、その部屋（７１Ａ−７１Ｄ）を主に使用する人の生活パターンに合わせて報知内容を変えることもできる。
【００５８】
例えば、０時〜７時は「就寝中」として報知内容を「地震だ、起きなさい」とし、７時〜９時は「○○から離れなさい」とし、外出中となる１０時〜１９時は音声による報知を停止し、１９時〜２４時の在宅中は「△△に隠れなさい」というように、任意に報知内容を設定できるようにする。
【００５９】
このように、時間情報を取り込むことで、時間帯によって報知内容を変更することができるようになれば、その部屋を利用する人の行動パターンに合わせた的確な指示がおこなえる。また、不在の可能性が高い時間帯は、報知がおこなわれないようにしておけば、無用に音声が鳴り響くような状況の発生を減らすことができる。
【００６０】
以上、図面を参照して、本発明の最良の実施の形態を詳述してきたが、具体的な構成は、この実施の形態及び実施例に限らず、本発明の要旨を逸脱しない程度の設計的変更は、本発明に含まれる。
【００６１】
例えば、前記実施の形態及び実施例では、報知内容はマイク５２を通して録音する構成について説明したが、これに限定されるものではなく、予め記憶部４３に記憶された音声データの中から選択できるようにしてもよい。
【００６２】
また、前記実施の形態では、報知部はスピーカ６Ａ−６Ｄ単体であったが、これに限定されるものではなく、表示画面を備えた視覚的に報知をおこなう報知部や、スピーカと表示画面とを備えて聴覚と視覚の両方を対象とした報知部などであってもよい。
【００６３】
さらに、前記実施の形態では、情報分電盤４とコントローラ５を別々に備えた地震報知装置３について説明したが、これに限定されるものではなく、地震報知装置はこれらの機能が一体にされた構成であっても、さらに細分化された構成であってもよい。
【００６４】
また、前記実施の形態及び実施例では、報知レベルに達しているか否かで報知をおこなうか否かを判定していたが、これに限定されるものではなく、例えば震度の大きさを複数段階に区分けして、各震度に対応して報知内容を変更できるようにしてもよい。
【図面の簡単な説明】
【００６５】
【図１】本発明の最良の実施の形態の地震報知装置の構成を説明するブロック図である。
【図２】本発明の最良の実施の形態の地震報知装置を備えた住宅の概略構成を示した説明図である。
【図３】地震報知装置の報知内容の設定手順を説明するフローチャートである。
【図４】地震報知装置の地震時の処理の流れを説明するフローチャートである。
【図５】実施例１のスピーカの概略構成を示した斜視図である。
【図６】実施例２の時間帯ごとの報知内容を示したタイムテーブルの例示である。
【符号の説明】
【００６６】
１            緊急地震速報システム
３            地震報知装置
４１          受信部
４２          制御部
４３          記憶部
５１          設定部
５２          マイク（録音部）
６，６Ａ−６Ｄ  スピーカ（報知部）
６１          人間感知センサ
６２          ターンテーブル（変動手段）
７            住宅（建物）
７１Ａ        寝室（部屋）
７１Ｂ        リビング（部屋）
７１Ｃ        台所（部屋）
７１Ｄ        子供部屋（部屋）
【図１】
2008298499.tif 000003
【図２】
2008298499.tif 000004
【図３】
2008298499.tif 000005
【図４】
2008298499.tif 000006
【図５】
2008298499.tif 000007
【図６】
2008298499.tif 000008